(57)【特許請求の範囲】
【請求項１】
互いに内側に折り込まれた複数のシートからなる印刷製品（５０）を製造するための方法であって、中間製品または製品パーツ（３０）は、それぞれ、第１の折り（３４）で一度折り畳まれた外部シート（３１）の中に複数の内部シート（３２）を位置づけ、そして外部シート（３１）の第１の折り（３４）に垂直な第２の折り（３３）で内部シートおよび外部シートをともに折り畳むことによって製造され、中間製品または製品パーツ（３０）の内部および外部シート（３１、３２）は第２の折り（３３）に沿って互いに接続され、外部シート（３１）の第１の折り（３４）は仕上げ裁ちされることを特徴とする、印刷製品を製造するための方法。
【請求項２】
第２の折り（３３、３３′）を有する複数の製品パーツ（３０、３０′）は、外部および内部シート（３１、３２）が接続される前に、互いの上に集められるか、互いの中に入紙されるか、または丁合いをとられる（collate ）ことを特徴とする、請求項１に記載の方法。
【請求項３】
中間製品（３０）または複数の製品パーツ（３０）の外部および内部シート（３１、３２）は互いに綴じによって接続されることを特徴とする、請求項１または２の１つに記載の方法。
【請求項４】
中間製品または製品パーツ（３０）をそれぞれ製造するために、複数の印刷された内部シートウェブ（１１．１から１１．５）が少なくともウェブの一側部の縦方向端（１５）が重ね合わされるように互いに上にガイドされ、外部シートウェブ（１２）はそれが重ね合わされた内部シートウェブ（１１．１から１１．５）に対して位置づけられ、内部シートウェブ（１１．１から１１．５）の重ね合わされた端（１５）を越えて突出するようにガイドされ、外部シートウェブ（１２）の突出部分は内部シートウェブ（１１．１から１１．５）の重ね合わされた端（１５）のまわりに折り畳まれ、次に内部および外部シートウェブ（１１．１から１１．５、１２）はともに横に切断されることを特徴とする、請求項１から３の１つに記載の方法。
【請求項５】
中間製品または製品パーツ（３０）をそれぞれ製造するために、複数の印刷された内部シートウェブ（１１．１から１１．５）は重ね合わされた内部シートウェブの２つの並置されるグループを形成するようにガイドされ、外部シートウェブ（１２）は内部シートウェブ（１１．１から１１．５）の２つのグループに対して位置づけられ内部シートウェブの２つのグループの間の空間を覆うようにガイドされ、外部シートウェブは内部シートウェブの２つのグループが互いに対して位置づけられるように折り畳まれ、外部シートウェブ（１２）は内部シートウェブ（１１．１から１１．５）のまわりに折り畳まれ、次にウェブ（１１．１から１１．５、１２）はともに横に切断されることを特徴とする、請求項１から３の１つに記載の方法。
【請求項６】
重ね合わされたウェブ（１１．１から１１．５および１２）は第１に横に切断され、次に第１の折り（３４）を形成するように折り畳まれることを特徴とする、請求項１から３の１つに記載の方法。
【請求項７】
内部シートウェブ（１１．１から１１．５）および／または外部シートウェブ（１２）は複数の層からなることを特徴とする、請求項４から６の１つに記載の方法。
【請求項８】
中間製品または製品パーツ（３０）は折り畳まれていない内部シート（３２）を一度折り畳まれた外部シート（３１）に入紙することによって形成され、次に入紙された製品は外部シートの折りに対して横に折り畳まれることを特徴とする、請求項１から３の１つに記載の方法。
【請求項９】
互いに内側に折り込まれた複数のシートからなるマルチリーフ印刷製品（５０）を製造するための請求項１から８の１つに記載の方法の中間製品または製品パーツ（３０、３０′）であって、中間製品または製品パーツは、第１の折り（３４、３４′）を有する外部シート（３１、３１′）と複数の内部シート（３２）とからなり、複数の内部シートは実質的に外部シート（３１、３１′）の第１の折り（３４、３４′）に対してその端の１つが位置づけられ、中間製品または製品パーツは第１の折り（３４、３４′）に垂直な第２の折り（３３、３３′）を含むことを特徴とする、中間製品または製品パーツ。
【請求項１０】
内部シート（３２）はすべて同一のサイズを有し、第２の折り（３３、３３′）はそれらの中央を走ることを特徴とする、請求項９に記載の中間製品または製品パーツ。
【請求項１１】
外部シート（３１）は内部シート（３２）の実質的に２倍の幅を有し、第１の折り（３４）および第２の折り（３３）はその中央を走ることを特徴とする、請求項１０に記載の中間製品または製品パーツ。
【請求項１２】
外部シート（３１′）は内部シート（３２）の２倍より小さな幅を有し、外部シートはその折り畳まれた部分の１つが内部シート（３２）の幅を有するかまたは折り畳まれた部分のいずれも内部シートの幅を有さないように折り畳まれることを特徴とする、請求項１０に記載の中間製品または製品パーツ。
【発明の詳細な説明】
【０００１】
【発明の分野】
この発明は、印刷製品の製造分野に関し、第１の独立請求項の包括部分による方法に関する。この方法は、複数の折り畳まれたシートからなるマルチリーフ印刷製品の製造のために意図されている。この発明はさらに、この方法の中間製品または製品パーツに関する。
【０００２】
複数の折り畳まれたシートからなる印刷製品は、たとえば、凹版印刷によって製造され、この場合は、印刷された紙のウェブが縦に切断され、切断されたウェブパーツは互いの上にガイドされ、重ね合わされたウェブパーツは横に切断されて、重ね合わされたシートのグループを形成し、そして重ね合わされたシートのグループは横に折り畳まれる。このようにして互いに内側に折り込まれたシートのグループ（タブロイド）は次に、通常折り線に沿って綴じられる、または、他の適切な方法によって互いに接続され、次に、もし必要ならば、３つの端に沿って仕上げ裁ちされる。
【０００３】
ページ数の多い（voluminous）印刷製品は通常、上述のような複数の製品パーツから製造され、この場合各製品パーツはより少ない数のシートを有する。いくつかのこのような製品パーツは、折り畳まれた後に集められるかもしくは入紙することによって、または折り畳まれる前もしくは後に丁合いをとる（collate ）ことによって、１つにされ、次に綴じられるかまたは糊付けされ（そして、もし必要ならば仕上げ裁ちされ）、仕上がり製品を形成する。製品パーツを用いての製造によって、ページ数の多い製品を直接製造することと比べてより大きい印刷能力が可能となり、仕上がり製品の内側のページへの、付加的な製品（差込みカード、サンプルバッグなど）の付加および／または付加的な印刷（たとえば住所などの個別の情報など）の適用が容易になる。
【０００４】
しかしながら、製品パーツを用いての製造はまた、より多くのステップが必要となるということ、とりわけ、緩く重ね合わされたまたは緩く折り畳まれたシート（製品パーツ）を操作せねばならないステップが増えるという欠点も有している。これらのステップの間、製品パーツは注意深くガイドされねばならず、さもなくば、グループ内のシートを、とりわけもしシートが滑りやすい紙からなっているときには、繰返し再び位置づけなければならない。
【０００５】
さらに、折り畳んだ後に集めたりまたは入紙したりするためには、互いに内側に緩く折り込まれたシートのグループの少なくとも一部分の正確に中央を開かねばならない。この目的のために、シートは通常中心をずらして折り畳まれ、それによって開くことがかなり容易になるかまたはそもそも開くことが可能になる。しかしながら、中心をずらして折り畳むことによって生まれるシートの突出部分は仕上がり製品から仕上げ裁ちされねばならず、このためにゴミの量がかなり増加する。
【０００６】
互いに内側に緩く折り込まれたシートからなる上述の製品パーツの操作および開きを容易にするために、たとえば、ＤＥ−２９１０９６４では、折り線と垂直に走る少なくとも１つの端に沿って線状に孔をあけること、または端に切込みを入れそしてそれらを変形させることにより、シートの間により大きな付着性を生み出すことが提案されている。このような処理を施される端区域は、中心をずらした折り畳みと同様に、すべての単一のシートに関わり、かつ、仕上がり製品からは仕上げ裁ちされねばならない。なぜならば、これは美的な理由で仕上がり製品においては許容できないからである。
【０００７】
緩く重ね合わされたまたは緩く折り畳まれたシートからなる製品パーツを安定させるためのさらなる既知の方法は、紙に静電気を与え、紙の層が互いに付着するようにするというものである。これは、層を安定させるためには有利であるが、たとえば製品パーツを開かねばならないときなどの、続く処理ステップにおいて問題を生じさせかねない。
【０００８】
この発明の目的は、互いに内側に折り込まれたシートからなるマルチリーフ印刷製品を製造するための方法を示すことにあり、この方法によって、重ね合わされた接続されていないシートのグループを操作するときに直面する困難および接続されていないシートの折り畳まれたグループを開くときに直面する困難が大いに減じられる。
【０００９】
この目的は、請求項で規定される方法によって達成される。
【００１０】
【発明の概要】
この発明の方法の中心的着想は、折り畳む前の中間製品または製品パーツを、このようなグループの２つの最も外側のシートを折り畳まれた外部シートで置換えることによって、修正することであり、ここで、外部シートの折り畳まれた端は、シートのグループが次に折り畳まれる折り線と垂直に走っており、このグループの内部シートの一端は折り畳まれた外部シートの折りの内側に向かって位置する。
【００１１】
こうして、中間製品または製品パーツとして操作されるシートのグループは、もはや互いに内側に緩く折り込まれるシートのグループではなく、第１の折りを有する外部シートとその中に位置する複数の内部シートとからなり、ここで外部シートおよび内部シートは外部シートの第１の折りに垂直な第２の折りで折り畳まれる。安定性および開きの特徴に関しては、この種の製品は、２回折り畳まれた製品の利点を有するが、２回の折りの交差点および非均一な厚みに関してのその欠点は持たず、以下に示すように、既知の製造方法の簡単な修正によって製造可能である。
【００１２】
二度折り畳まれた外部シートを含む中間製品または製品パーツは、互いに内側に緩く折り込まれたシートの既知のグループと全く同じ態様でさらに処理され、すなわち、いくつかのこのような製品パーツはたとえば、互いの上に集められ、または互いの内側に入紙され、そしてシートは次に折り線に沿って綴じられ、または製品パーツ（接続されていないまたは接続されているシート）は丁合いをとられ、次に互いに背領域において接続される。製品パーツまたは複数の製品パーツのシートが接続された後、外部シートの少なくとも第１の折りは仕上げ裁ちされる。こうして製造されるゴミは中心をずらして折り畳むことによって製造されるゴミに比べて少ない。なぜならば、この仕上げ裁ちは外部シートのみに関わるからである。
【００１３】
もし、内部シートもまた仕上げ裁ちされるのならば、たとえば、しばしば美的理由で行なわれるように、３つの端において仕上げ裁ちされるのならば、外部シートの第１の折りを仕上げ裁ちすることに付加的な方法ステップは必要ない。中間製品または製品パーツの安定性が増すことによって、既知の中間製品のシートに比べて、この内部シートはより良く整列したままになり、したがって内部シートの仕上げ裁ちされるべき端領域は最小にすることができ、これによってやはりゴミの量が減じられる。
【００１４】
シートのグループの安定性が向上することとは別に、この発明の方法は、上述のように、グループの開きを容易にするという付加的な利点を有する。すなわち、これは製品パーツが（たとえば折り畳まれた後に集められるまたは入紙することによって）１つにされるときに開かれる、製品パーツを用いての印刷製品の製造に特に適している。上述の二度折りされた中間製品または製品パーツの中央を開くことによっては全く問題は生じず、折りの高い精密さも必要ない。これは、既知の中心をずらして折り畳まれる製品の開きにおいては、突出する部分の幅に差がありすぎると製品の廃棄または製造の停止にさえつながってしまうこととは対照的である。
【００１５】
さらに、この発明の中間製品の外部シートの第１の折り畳まれた端は、単に個々の中間製品および製品パーツを重ね合わせるための整列手段としてだけでなくウェブの段階においても使用することができる（図１および２を参照）。中間製品または製品パーツが、少なくとも重力の成分がこの折り畳まれた端に向かって方向づけられるように位置づけられる限り、またはそうされるや否や、内部シートはそれぞれこの端に沿って整列したままになるかまたはこの端に沿って整列する。
【００１６】
既知のタブロイドと比較しての、この発明の方法による中間製品または製品パーツのさらなる利点は、外部シートの第１の折りによる安定性の増加にある。安定性が増加することによって、概して、製品の扱いが容易になる。
【００１７】
この発明の方法は以下の図に関して詳細に説明される。
【００１８】
【詳細な説明】
図１は、この発明の方法と、同様の印刷製品を製造するための既知の方法との間の相違を実質的に構成する、中間製品または製品パーツを製造するための例示的方法の変形を示す。この方法の変形は、凹版印刷で既知の紙のウェブ１から始まる。この紙のウェブは両面に印刷され、ここでの印刷は７つの部分ウェブを示している（ウェブの幅にわたって７つの印刷されたページがある）。
【００１９】
ウェブの全体１はたとえば（５つの小さな鋏によって図示される）クロップマークシリンダによって内部シートの５つの部分ウェブ１１．１から１１．５および外部シートの部分ウェブ１２に縦に切断され、ここで、内部シートウェブはすべて同一の幅であり、外部シートウェブ１２はそれらより広く、たとえば、図示されているように内部シートウェブの実質的に２倍の幅である。
【００２０】
ウェブは次に、旋回バー１３によって方向を変えられ、それらは互いに上に送られ、すなわち、内部シートウェブ１１．１から１１．５の縦方向端１４および１５は重ね合わされ、外部シートウェブの一縦方向端１６は対応する重ね合わされた縦方向端１５を越えて突出する。もし外部シートウェブ１２が、図示されているように、内部シートウェブの実質的に２倍の幅であるならば、外部シートウェブはその一端が内部シートウェブの端１４上にくるように配置され、内部シートウェブの他端１５は実質的に外部シートウェブの中央にくる。断面Ａ−Ａは明確にどのようにウェブが位置づけられているかを示している。
【００２１】
次に、外部シートウェブ１２の突出部分は、たとえば、折り畳み機（図示せず）を用いて互いの上に重ね合わされた内部シートウェブのまわりに折り畳まれ、たとえば外部シートウェブ１２の２つの縦方向端が内部シートウェブ１１．１から１１．５の端１４上に位置するようにされ、そして内部シートウェブが互いに対して折り畳まれた外部シートウェブ１２の２つの部分の間にくるようにされる。
【００２２】
この配置において、ウェブ１１．１から１１．５および１２は、２つの印刷されたページの幅に対応する長さを有する部分へと（切断線２０に沿って）横に切断され、（第１の折り３４に沿って）折り畳まれた外部シートの内側の複数の折り畳まれていない内部シートのグループが製造され、これらは次に（２つの印刷されたページの間の折り線２１に沿って）その中央で横に折り畳まれる。この発明の方法の利点は、切断ステップの前にもウェブに影響を与えている。つまり、複雑なガイド手段または支持手段がなくとも、折り畳まれた外部シートウェブの効果のために、ウェブは互いに対してごく少ししかずれないのである。この発明の方法は、特に、中間製品または製品パーツが横切断および折り畳みの間に加速されるならば有効である。このときもまた、折り畳まれた外部シートの効果のために、中間製品または製品パーツのシートは互いに対して全くずれないかまたはずれてもごく少しである。
【００２３】
上述の方法ステップによって、この発明の方法による中間製品または製品パーツ３０が製造される。この製品は、二度折り畳まれた外部シート３１と一度折り畳まれた複数の内部シート３２とからなる。その一端は第２の折り（横折り）３３であり、その他端は第１の折り３４の２つの重ね合わされる部分によって形成される。
【００２４】
図示される中間製品または製品パーツ３０は、さらなる処理により、２８枚の印刷されたページを有する仕上がり製品またはよりページ数の多い製品の２８枚のページである。
【００２５】
図２は、この発明の方法の中間製品または製品パーツを製造するためのさらなる例示的方法の変形を示す。この変形は、外部シートウェブ１２に対する内部シートウェブ１１．１から１１．５の位置づけおよび外部シートウェブ１２が内部シートウェブのまわりに折り畳まれる折りの手順において、図１による変形とは異なっている。図２においては、図１と同一の参照番号が使用される。
【００２６】
図２によれば、旋回バーは、内部シートウェブ１１．１から１１．５が外部シートウェブ１２の左手側および右手側に交互に位置づけられるように配置されている。これは断面Ａ−Ａでわかる。次に、ウェブはたとえば折り畳み機の助けを得て重ね合わされ、すべての内部シートウェブ１１．１から１１．５が互いに対して位置づけられかつ、外部シートウェブ１２が内部シートウェブのまわりに折り畳まれる（断面Ｂ−Ｂ）。図１による変形と比較してのこの変形の利点は、折り畳みの手順がより対称的であって、よって既知の折り畳み機によって実行できるという点にある。
【００２７】
図２による方法の変形においては、やはり、外部シートウェブ１２が内部シートウェブの２倍の幅を有するということは条件ではない。外部シートウェブは、たとえば内部シートウェブと同じ幅であってもよく、しかし、たとえばその中央線が外部ウェブの左側上および右側上に位置づけられた内部シートウェブの間にくるように位置づけられる。
【００２８】
図２による方法の変形によって製造される中間製品または製品パーツが図１による方法の変形によって製造される製品と異なっているのは、唯一内部シートの順序である。
【００２９】
上述のように、図１および図２は、単に中間製品または製品パーツ３０を製造するための例示的な方法の変形を示したにすぎない。図示された方法のさらなる変形は、たとえば、以下のことを含み得る。
【００３０】
−  外部シートウェブは内部シートウェブの２倍より小さい幅を有し、その端の１つのみが外部シートウェブの縦方向端上にくるか、またはその端が全く内部シートウェブの縦方向端上にこないように、内部シートウェブに対し位置づけられかつ折り畳まれる（図３の製品パーツ３０′を参照）。
【００３１】
−  内部シートウェブはさまざまな異なった幅を有する。
−  内部シートウェブおよび恐らくは外部シートウェブは、いくつかの印刷機の印刷されたウェブがまとめられるために、多層からなり、たとえば２つの層からなる。
【００３２】
−  外部シートウェブと内部シートウェブとは異なった主ウェブから製造される。
【００３３】
−  ウェブが横に切断された後に外部シートが内部シートのまわりに折り畳まれる。
【００３４】
−  まだ横に折り畳まれていない中間製品または製品パーツは、折り畳まれていない内部シートを折り畳まれた外部シートに入紙することによって製造される。
【００３５】
図３は、ともにたとえば上述の方法の１つによって製造される２つの製品パーツ３０および３０′をさらに処理するための例示的方法を示す。両製品パーツは、実質的に、それぞれ二度折り畳まれた外部シート３１または３１′と、一度折り畳まれ、すべて実質的に同じサイズである内部シート３２とを含む。外部シート３１は実質的に内部シート３２の２倍の幅を有し（正確には、重ね合わされた内部シートの厚みがあるので、内部シートの２倍よりも幅は広い）、これは製品パーツ３０の２枚の中央ページならびに第１および最後のページを形成するようになっている。外部シート３１′は内部シート３２の幅の２倍よりも狭く、製品パーツ３０′の外部表面の一部のみを覆っている。
【００３６】
さらなる処理のために、製品パーツ３０′は（外側から内側への方法で）製品パーツ３０へと入紙されるか、または、製品パーツ３０は（内側から外側への方法で）製品パーツ３０′の上に集められ、いずれの場合にも、製品パーツの少なくとも１つが中央で開かれねばならない。集められるかまたは入紙される製品４０が先行技術によって作られる対応する製品と異なっているのは、２つの外部シート３１および３１′の第１の折り３４および３４′を有する端においてである。集められるかまたは入紙された製品４０は、次に、たとえば第２の折り３３／３３′に沿って綴じられる。
【００３７】
仕上がり製品５０は、少なくとも外部シート３１および３１′の第１の折り３４および３４′によって形成される端を仕上げ裁ちすることによって形成される。図３の製品４０で示されているように、製品パーツ３０および３０′の外部シート３１および３１′のこれらの折り畳まれた端３４および３４′がすべて同一の製品端上に配置されていることが有利ではあるが、これは条件ではない。
【００３８】
外部シート３１′は仕上がり製品５０においては２つのページ５１および５１′を形成し、これらのページは背の全長にわたって延びてはいない。雑誌においては、この種のページは特別な広告効果を狙って有利に使用できる。
【図面の簡単な説明】
【図１】折り畳まれた外部シートと折り畳まれた外部シートの中に位置づけられる内部シートとを含む中間製品または製品パーツを製造するための例示的方法の変形を示す図である。
【図２】折り畳まれた外部シートと折り畳まれた外部シートの中に位置づけられる内部シートとを含む中間製品または製品パーツを製造するためのさらなる例示的方法の変形を示す図である。
【図３】図１または図２による複数の製品パーツをさらに処理し、互いに内側に折り込まれた複数のシートからなるマルチリーフ印刷製品を製造するための例示的方法の変形を示す図である。
【符号の説明】
１  ウェブ
１１．１から１１．５  内部シートウェブ
１２  外部シートウェブ
１３  旋回バー
１４  内部シートウェブの端
１６  外部シートウェブの端
２０  切断線
２１  折り線
３０  中間製品または製品パーツ
３１  外部シート
３２  内部シート
３３  第２の折り
３４  第１の折り
５０  印刷製品
【図１】
0003949227.tif 000002
【図２】
0003949227.tif 000003
【図３】
0003949227.tif 000004